(57)【要約】【課題】樹脂発泡体を用いて綺麗な継ぎ目を形成することができる天井材および天井材の施工方法を提供することである。【解決手段】本発明にかかる天井材１００は、野縁２００にジョイナー３００が取り付けられ、ジョイナー３００に天井ボード５００が取り付けられる。ジョイナー３００は、天井ボード５００の継ぎ目部分で天井ボード５００を支持するので、綺麗な継ぎ目を形成することができる。また、外観を綺麗にすることができ、天井ボード５００の破損を防止できる。【選択図】図２
2014074327.tif 000002
【特許請求の範囲】
【請求項１】
建物の天井に配設される天井材であって、
野縁と、
少なくとも片面に不燃補強面が形成された樹脂発泡体からなる天井ボードと、
前記野縁に取り付けられ、かつ前記天井ボードを支持するための支持部を有する化粧材と、を含むことを特徴とする天井材。
【請求項２】
前記不燃補強面は、前記天井を有する室内側に配設されたことを特徴とする請求項１記載の天井材。
【請求項３】
前記天井ボードは、少なくとも片面に非透湿系面が形成されたことを特徴とする請求項１または２に記載の天井材。
【請求項４】
前記支持部の鉛直方向長さは、前記天井ボードの厚みよりも大きく、かつ前記天井ボードの厚みの２倍以下であることを特徴とする請求項１から３のいずれか１項に記載の天井材。
【請求項５】
一の前記化粧材の水平方向中心部に近い支持部の端部と、他の化粧材の水平方向中心部に近い支持部の端部との間隔は、前記天井ボードの水平方向長さよりも大きく、かつ当該長さに前記化粧材の支持部の水平方向の長さの５０％未満を足した長さ以下であることを特徴とする請求項１から４のいずれか１項に記載の天井材。
【請求項６】
前記支持部の鉛直方向長さは、前記天井ボードの厚みよりも小さいことを特徴とする請求項１から３のいずれか１項に記載の天井材。
【請求項７】
一の前記化粧材と、他の前記化粧材との間隔は、前記天井ボードの水平方向長さよりも小さいことを特徴とする請求項１から３、６のいずれか１項に記載の天井材。
【請求項８】
建物の天井に配設される天井材の施工方法であって、
野縁に天井ボードを支持するための支持部を有する化粧材を取り付ける取り付け工程と、
少なくとも片面に不燃補強面が形成されたフェノール樹脂発泡体からなる天井ボードを前記支持部に取り付けるための取り付け工程と、を含むことを特徴とする天井材の施工方法。
【請求項９】
前記化粧材を取り付ける取り付け工程は、
前記天井ボードの少なくとも一辺を支持するための一の化粧材を取り付ける第１取り付け工程と、
前記天井ボードを前記支持部に取り付けるための取り付け工程の後、前記天井ボードの他辺を支持するための他の化粧材を取り付ける第２の取り付け工程と、を含み、
第２の取り付け工程は、前記一の化粧材の水平方向中心部に近い支持部の端部と、前記他の化粧材の水平方向中心部に近い支持部の端部との間隔が、前記天井ボードの水平方向長さよりも大きく、かつ当該長さに前記化粧材の支持部の水平方向の長さの５０％未満を足した長さ以下の条件を満たすように、前記他の化粧材を設けたことを特徴とする請求項８記載の天井材の施工方法。
【請求項１０】
前記化粧材を取り付ける取り付け工程は、
前記天井ボードの少なくとも一辺を支持するための一の化粧材を取り付ける第１取り付け工程と、
前記天井ボードを前記支持部に取り付けるための取り付け工程の後、前記天井ボードの他辺を支持するための他の化粧材を取り付ける第２の取り付け工程と、を含み、
第２の取り付け工程は、前記一の化粧材の水平方向中心部に近い支持部の端部と、前記他の化粧材の水平方向中心部に近い支持部の端部との間隔が、前記天井ボードの水平方向長さよりも小さい位置に取り付けることを特徴とする請求項８記載の天井材の施工方法。
【発明の詳細な説明】
【技術分野】
【０００１】
本発明は、建物の天井に配設される天井材および天井材の施工方法に関する。
【背景技術】
【０００２】
従来から、建物の室内と室外との気温差による熱の流出および結露等が問題となっている。そのため、建物内における天井、外壁または床等に断熱材を設けるなど種々の工夫が施されている。
【０００３】
特許文献１（特開２００２−０３８６３１号公報）には、壁面のずり下がり、および熱橋が生じることがなく、しかも壁面の厚みも小さい鉄骨における外壁構造について開示されている。
【０００４】
特許文献１（特開２００２−０３８６３１号公報）記載の外壁構造は、鉄骨に対しブラケットを介して胴縁が固定され、この胴縁に外装材が取り付けられた外壁構造であって、該鉄骨と胴縁との間に熱絶縁材が介在されており、該鉄骨と胴縁との間に断熱ボードが配設されていることを特徴とするものである。
【０００５】
また、特許文献２（特許第４２０１５４６号公報）には、天井の断熱性能を向上させることが出来る断熱構造を実現するのに有利な固定金具について開示されている。
【０００６】
特許文献２（特許第４２０１５４６号公報）記載の固定金具は、天井裏を構成する鉄骨梁で囲まれた空間に所定の間隔で断熱材を固定する下地材を鉄骨梁に固定する固定金物であって、下地材を取り付ける上部片と、前記上部片の下方であって且つ該上部片に並行して配置されて上部片の位置を指示する指示片と、前記上部片と指示片を予め設定された間隔を持って接続すると共に鉄骨梁に固定される固定片と、を有することを特徴とするものである。
【０００７】
また、特許文献３（実用新案公報第２５２３９９９号公報）には、隣合う天井材の継ぎ目部分がシールテープおよびパッキンによりシールされ、さらにねじ部品の貫通孔もパッキンによりシールされるため、シールが確実になり、室内の湿気が天井裏に侵入する虞れがない高温多湿室内における天井材の取付構造について開示されている。
【０００８】
特許文献３（実用新案公報第２５２３９９９号公報）記載の高温多湿室内における天井材の取付構造は、断熱材からなる天井材を天井下地の下端に複数接着し、隣合う天井材の継ぎ目部分の表面にシールテープを貼着し、そのシールテープ表面にパッキンを介して帯状片を配置し、その帯状片を貫通して先端が天井下地に至るねじ部品により天井材を帯状片と天井下地間に挟着したものである。
【先行技術文献】
【特許文献】
【０００９】
【特許文献１】特開２００２−０３８６３１号公報
【特許文献２】特許第４２０１５４６号公報
【特許文献３】実用新案登録第２５２３９９９号公報
【発明の概要】
【発明が解決しようとする課題】
【００１０】
特許文献１乃至特許文献３に示すように、外壁構造または鉄骨梁に断熱材を設ける構造が開示されている。
しかしながら、近年樹脂発泡体が開発され、石膏ボードから樹脂発泡体への変更が進んでいる。当該樹脂発泡体を突き合わせて天井材を形成する場合、天井材の付き合わせ面がずれる場合があった。また、ビス等で固定を行なう場合、ビスが一列に配設されず、乱れた状態に陥り易かった。さらに、断熱発泡体を介して下地にビスを打ち込む際、ビス頭がめり込み（樹脂発泡体がビスよりも弱いため）、外観を大きく損なうおそれがあるなど、いずれも施工を行う労働者に負担がかかっていた。
【００１１】
本発明の目的は、樹脂発泡体を用いて綺麗な継ぎ目を形成することができる天井材および天井材の施工方法を提供することである。
【課題を解決するための手段】
【００１２】
（１）
一局面に従う天井材は、建物の天井に配設される天井材であって、野縁と、少なくとも片面に不燃補強面が形成された樹脂発泡体からなる天井ボードと、野縁に取り付けられ、かつ天井ボードを支持するための支持部を有する化粧材と、を含むものである。
【００１３】
第１の発明にかかる天井材は、野縁と、天井ボードと、化粧材とを含む。天井ボードは、少なくとも片面に不燃補強面が形成された樹脂発泡体からなり、化粧材は、野縁に取り付けられ、かつ天井ボードを支持するための支持部を有する。
ここで、化粧材とは、ジョイナーと呼ばれる固定部材、Ｌ字状部材等、その他任意の固定部材を意味する。また、樹脂発泡体は、ポリスチレン、ポリエチレン、フェノール樹脂、硬質ウレタン等の弾性変形して圧縮可能な発泡樹脂材料を含む。
【００１４】
この場合、化粧材を設けることで、天井ボードの継ぎ目部分を綺麗にすることができる。また、少なくとも片面に不燃補強面が形成されているので不燃性を高く維持する天井材を形成することができる。
さらに、天井ボードは、フェノール樹脂発泡体からなる場合、断熱性、軽量性を高く維持することができる。
また、化粧材を用いることにより、天井ボードの取換え、取り外しが容易となる。さらに、天井ボードにねじ止めするのではなく、化粧材を野縁にねじ止めすることで、ねじ止め作業が容易となる。その結果、ねじ止めによる天井ボードの破損または変形を防止することができる。
【００１５】
（Ａ）
天井材は、一局面に従う天井材において、化粧材が、ハット型ジョイナーからなってもよい。
【００１６】
この場合、ハット型ジョイナーを用いることで、天井ボードの継ぎ目を綺麗にすることができる。また、ハット型ジョイナーを用いることで、複数の天井ボードを少ない化粧材で保持することができる。
すなわち、１のハット型ジョイナーにより複数の天井ボードの辺を支持することができる。また、ハット型ジョイナーの凹部分を用いてねじ止めすることで、ねじ頭の目立ちを防止することができる。
【００１７】
（Ｂ）
天井材は、一局面に従う天井材において、化粧材が、Ｉ型ジョイナーからなってもよい。
【００１８】
この場合、Ｉ型ジョイナーを用いることで、天井ボードの継ぎ目を綺麗にすることができる。したがって、天井材の意匠上の外観を綺麗にすることができる。
【００１９】
（２）
第２の発明にかかる天井材は、一局面に従う天井材において、不燃補強面が、天井を有する室内側に配設されてもよい。
【００２０】
この場合、不燃補強面は、天井を有する室内側に配設されているので、耐火性を向上させた室内を形成することができる。ここで、不燃補強面には、アルミニウム箔、他の金属層、難燃樹脂層、ガラス層、ケイ酸マグネシウムを含有するシートまたは板、炭酸カルシウムを含有するシートまたは板、ロックウール、グラスウールなどが含まれる。
【００２１】
（Ｃ）
天井材は、一局面に従う天井材において、化粧材が、樹脂からなってもよい。
【００２２】
この場合、化粧材は、樹脂からなる。その結果、天井ボードが酸性素材からなる場合であっても、化粧材の耐候性または耐久性を向上させることができる。
【００２３】
（Ｄ）
天井材は、一局面に従う天井材において、化粧材が、金属からなってもよい。
【００２４】
この場合、化粧材は、金属からなる。その結果、化粧材の強度を向上させることができる。
【００２５】
（３）
第３の発明にかかる天井材は、一局面に従うまたは第２の発明にかかる天井材であって、天井ボードが、少なくとも片面に非透湿系面が形成されてもよい。
【００２６】
この場合、天井ボードは、片面に非透湿系面が形成されているので、湿度に対する遮蔽性能に優れた性能を発揮することができる。
【００２７】
（４）
第４の発明にかかる天井材は、一局面から第３の発明のいずれかにかかる天井材において、支持部の鉛直方向長さは、天井ボードの厚みよりも大きく、かつ天井ボードの厚みの２倍以下であってもよい。なお、２倍よりも大きい場合には、天井ボードが落下し易いという問題がある。
【００２８】
この場合、支持部の鉛直方向長さは、天井ボードの厚みよりも大きく、かつ天井ボードの厚みの２倍以下であるため、天井ボードの厚みがばらついた場合でも、容易に化粧材で天井ボードを固定することができる。また、地震等の場合も天井ボードの破損および落下を防止することができる。
【００２９】
（Ｅ）
化粧材の支持部の鉛直方向長さは、天井ボードの厚みよりも１ｍｍ以上８ｍｍ以下の範囲で大きくてもよい。
なお、上記の化粧材の支持部の鉛直方向長さには、化粧材を形成する部材の板厚は、含まれないものとする。
【００３０】
この場合、天井ボードを容易に取り付けることができ、地震等の場合も天井ボードの破損および落下を防止することができる。なお、１ｍｍ未満の場合には、天井ボードの取り付けが困難であり、８ｍｍ超過の場合には、天井ボードが落下する可能性が高くなるが、それらを確実に防止することができる。
【００３１】
（５）
第５の発明にかかる天井材は、一局面から第４の発明のいずれかにかかる天井材において、一の化粧材の水平方向中心部に近い支持部の端部と、他の化粧材の水平方向中心部に近い支持部の端部との間隔は、天井ボードの水平方向長さよりも大きく、かつ当該長さに化粧材の支持部の水平方向の長さの５０％未満を足した長さ以下であってもよい。
なお、上記間隔および長さには、化粧材を形成する部材の板厚は、含まれないものとする。
【００３２】
この場合、天井ボードを容易に取り付けることができ、地震等の場合も天井ボードの破損および落下を防止することができる。化粧材の支持部の水平方向の長さに対して５０％未満の場合、天井ボードのがたつきが目立つという問題があるが、それらを防ぐことができる。
【００３３】
（Ｆ）
天井材において、一の化粧材の水平方向中心部に近い支持部の端部と、他の化粧材の水平方向中心部に近い支持部の端部との間隔は、天井ボードの水平方向長さよりも１ｍｍ以上８ｍｍ未満の長さで大きくてもよい。なお、上記間隔および長さには、化粧材を形成する部材の板厚は、含まれないものとする。
【００３４】
この場合、天井ボードを容易に取り付けることができ、地震等の場合も天井ボードの破損および落下を防止することができる。１ｍｍ未満の場合には、確実に天井ボードを係止することができず、８ｍｍ以上の場合、天井ボードのがたつきが目立つという問題があるが、それらを防ぐことができる。
【００３５】
（６）
第６の発明にかかる天井材は、一局面から第３の発明のいずれかにかかる天井材において、支持部の鉛直方向長さは、天井ボードの厚みよりも小さいものである。
【００３６】
この場合、天井材において、支持部により天井ボードを圧縮させつつ保持することができる。その結果、支持部に天井ボードを確実に固定させることができる。
【００３７】
（７）
第７の発明にかかる天井材は、一局面から第３、第６の発明のいずれかにかかる天井材において、一の化粧材と、他の化粧材との間隔は、天井ボードの水平方向長さよりも小さくてもよい。
【００３８】
この場合、一の化粧材と、他の化粧材との間隔は、天井ボードの水平方向長さよりも小さいので、天井ボードを押しつぶしつつ、確実に化粧材で天井ボードを固定することができる。
【００３９】
（８）
他の局面に従う天井材の施工方法は、建物の天井に配設される天井材の施工方法であって、野縁に天井ボードを支持するための支持部を有する化粧材を取り付ける取り付け工程と、少なくとも片面に不燃補強面が形成されたフェノール樹脂発泡体からなる天井ボードを支持部に取り付けるための取り付け工程と、を含むものである。
【００４０】
他の局面にかかる天井材の施工方法は、化粧材が野縁に取り付けられ、かつ化粧材により、少なくとも片面に不燃補強面が形成されたフェノール樹脂発泡体からなる天井ボードが支持される。
【００４１】
この場合、化粧材を設けることで、天井ボードの継ぎ目部分を綺麗にすることができる。また、少なくとも片面に不燃補強面が形成されているので、不燃性を高く維持する天井材を形成することができる。
さらに、天井ボードは、フェノール樹脂発泡体からなるので、断熱性、軽量性を高く維持することができる。
【００４２】
（９）
第９の発明にかかる天井材の施工方法は、他の局面に従う天井材の施工方法において、化粧材を取り付ける取り付け工程は、天井ボードの少なくとも一辺を支持するための一の化粧材を取り付ける第１取り付け工程と、天井ボードを支持部に取り付けるための取り付け工程の後、天井ボードの他辺を支持するための他の化粧材を取り付ける第２の取り付け工程と、を含み、第２の取り付け工程は、一の化粧材の水平方向中心部に近い支持部の端部と、他の化粧材の水平方向中心部に近い支持部の端部との間隔が、天井ボードの水平方向長さよりも大きく、かつ当該長さに化粧材の支持部の水平方向の長さの５０％未満を足した長さ以下の条件を満たすように、他の化粧材を設けてもよい。なお、上記間隔および長さには、化粧材を形成する部材の板厚は、含まれないものとする。
【００４３】
この場合、天井ボードを容易に取り付けることができ、地震等の場合も天井ボードの破損および落下を防止することができる。当該５０％未満の場合、天井ボードのがたつきが目立つという問題があるが、それらを防ぐことができる。
【００４４】
（Ｇ）
天井材の施工方法は、他の局面に従う天井材の施工方法において、化粧材を取り付ける取り付け工程は、天井ボードの少なくとも一辺を支持するための一の化粧材を取り付ける第１取り付け工程と、天井ボードを支持部に取り付けるための取り付け工程の後、天井ボードの他辺を支持するための他の化粧材を取り付ける第２の取り付け工程と、を含み、第２の取り付け工程は、一の化粧材との間隔が、天井ボードの水平方向長さよりも１ｍｍ以上８ｍｍ未満の長さで大きい位置に他の化粧材を取り付けてもよい。
【００４５】
この場合、天井ボードを容易に取り付けることができ、地震等の場合も天井ボードの破損および落下を防止することができる。１ｍｍ未満の場合には、確実に天井ボードを係止することができず、８ｍｍ以上の場合、天井ボードのがたつきが目立つという問題があるが、それらを防ぐことができる。
【００４６】
（１０）
第１０の発明にかかる天井材の施工方法は、他の局面に従う天井材の施工方法において、化粧材を取り付ける取り付け工程は、天井ボードの少なくとも一辺を支持するための一の化粧材を取り付ける第１取り付け工程と、天井ボードを支持部に取り付けるための取り付け工程の後、天井ボードの他辺を支持するための他の化粧材を取り付ける第２の取り付け工程と、を含み、第２の取り付け工程は、一の化粧材の水平方向中心部に近い支持部の端部と、他の化粧材の水平方向中心部に近い支持部の端部との間隔が、天井ボードの水平方向長さよりも小さい位置に取り付けてもよい。
【００４７】
この場合、一の化粧材と、他の化粧材との間隔は、天井ボードの水平方向長さよりも小さいので、天井ボードを押しつぶしつつ、確実に化粧材で天井ボードを固定することができる。
【発明の効果】
【００４８】
本発明によれば、樹脂発泡体を用いて綺麗な継ぎ目を形成することができる天井材および天井材の施工方法を提供できる。
【図面の簡単な説明】
【００４９】
【図１】天井材の構造の一部を説明するための模式図である。
【図２】図１における天井材の施工手順を説明するための模式図である。
【図３】野縁の一例を説明するための模式図である。
【図４】ジョイナーの一例を示す模式図である。
【図５】天井ボードの一例を示す模式図である。
【図６】天井材の施工手順を説明するための模式図である。
【図７】第２の実施の形態にかかるジョイナーの他の例を示す模式図である。
【図８】天井材の他の施工方法を示す模式図である。
【図９】ジョイナーへ天井ボードを固定する一例を説明するための説明図である。
【図１０】ジョイナーへ天井ボードを固定する一例を説明するための説明図である。
【図１１】天井ボードとジョイナーとの固定状態を説明するための模式図である。
【発明を実施するための形態】
【００５０】
以下、本発明に係る実施の形態について図面を用いて説明する。図１は、天井材１００の構造の一部を説明するための模式図であり、図２は、図１における天井材１００の施工手順を説明するための模式図であり、図３は、野縁２００の一例を説明するための模式図である。
【００５１】
（天井材１００の構成）
図１および図２に示すように、天井材１００は、野縁２００、ジョイナー３００、および天井ボード５００を有する。
【００５２】
（野縁２００）
図１に示すように、本実施の形態において、野縁２００は、一方向（Ｙ方向）に延在し、所定の間隔で平行に配設される。また、野縁２００と隣接配置される野縁２００との間に、野縁２００（ダブル野縁）の断面積が約半分の大きさからなる野縁２１０（シングル野縁）が平行に配設される。
【００５３】
さらに、野縁２００，２１０に直交して、野縁２２０が所定の間隔で一方向（Ｘ方向）に延在し、それぞれ平行に配設される。なお、本実施の形態における野縁２００の下面２０１の幅Ｌ２０（図３参照）は、５０ｍｍである。
これらの野縁２００，２１０および２２０は、ＪＩＳＧ３３０２（溶融亜鉛めっき鋼板および鋼帯）ＳＧＣＣＺ１２または、ＪＩＳＧ３３２１溶融５５％アルミニウム−亜鉛合金めっき鋼板および鋼帯ＳＧＬＣＣＡＺ９０と同等以上の材質からなるがこれに限定されるものではない。
【００５４】
（ジョイナー３００）
次いで、図４は、ジョイナー３００の一例を示す模式図である。
【００５５】
図２および図４に示すようにジョイナー３００は、野縁２００に対向して取り付けるための面３１０と、面３１０の一端側に設けられ、一の天井ボード５００を保持するためのＬ字状部３２０と、面３１０の他端側に設けられ、Ｌ字状部３２０に対向し、他の天井ボード５００を保持するためのＬ字状部３３０とからなる。
【００５６】
図４に示すように、ジョイナー３００のＬ字状部３２０，３３０の鉛直方向長さＬ３２は１９．８ｍｍからなる。なお、後述するが、天井ボード５００の厚みＬ５１は、２０ｍｍである。また、Ｌ字状部３２０の面３４０およびＬ字状部３３０の面３５０は、それぞれ長さＬ３４が１５ｍｍからなり、長さＬ３５が１５ｍｍからなる。なお、ジョイナー３００の長さＬ３２は、天井ボード５００の厚みＬ５１よりも０．０５％以上１０％以下の範囲で、または、ジョイナー３００の長さＬ３２は、天井ボード５００の厚みＬ５１よりも０．１ｍｍ以上２ｍｍ以下小さくてもよい。
０．１ｍｍ未満または０．０５％未満の場合には、天井ボード５００の圧縮が不十分であり、気密性を十分維持することができないからであり、２ｍｍ超過または１０％超過の場合には、天井ボード５００を押しつぶす量が多くなり、Ｌ字状部３２０に取り付ける作業が困難となるからである。
【００５７】
また、本実施の形態における図４に示すジョイナー３００の材質は、溶融アルミニウム−亜鉛合金（ＪＩＳＧ３３２１）からなるが、これに限定されず、樹脂、ステンレス、ＪＩＳＧ３３０２準拠の金属等、その他任意の素材からなってもよく、これらの素材の単層または積層構造とされていてもよい。さらに、これらの材質のものに必要に応じてメッキ、防錆処理または塗装などを行ってもよい。
また、本実施の形態におけるジョイナー３００は、一の材質からなることとしたが、これに限定されず、複数の素材からなってもよく、その他、樹脂または難燃性樹脂からなってもよい。
また、ジョイナー３００は、熱硬化性樹脂または熱可塑性樹脂等からなってもよく、例えばＡＢＳ樹脂、アクリル樹脂、塩化ビニル樹脂、ポリオレフィン、変性ポリフェニレンオキサイド、ポリアミド、フェノール樹脂、エポキシ樹脂、ポリウレタン、ベークライト、ＭＣナイロン、フッ素樹脂、テフロン（登録商標）、ポリカーボネイト、ポリプロピレン、ポリエチレン、ポリブチレンテレフタレート、変成ＰＰＥ、ＰＰＳ、セルロイド、メラミン樹脂、ポリエステル、ポリ塩化ビニル、尿素樹脂等であってもよい。
【００５８】
（天井ボード５００）
続いて、天井ボート５００について説明を行なう。図５は、天井ボード５００の一例を示す模式図である。
【００５９】
図５の天井ボード５００は、ガラス繊維混抄紙５１０、フェノール発泡体樹脂５２０、ガラス繊維混抄紙５３０、アルミニウム箔５４０、水酸化アルミニウム紙５５０を積層して、矩形状に形成された部材である。本実施の形態においては、天井ボード５００の厚みＬ５１は２０ｍｍであり、縦横長さＬ５２，Ｌ５３は、それぞれ９００ｍｍからなる。
【００６０】
本実施の形態における天井ボード５００の少なくとも片面には、不燃補強面であるアルミニウム箔５４０が形成される。アルミニウム箔５４０は、不燃積層材の発火を防止し、その不燃性を高めるための層であり、例えば金属の箔または板からなる。
【００６１】
なお、本実施の形態において、不燃補強面であるアルミニウム箔５４０について説明したが、これに限定されず、天井ボード５００に不燃性または強度を付与するものであれば特に限定されるものでなく、例えば他の金属層、難燃樹脂層、ガラス層、ケイ酸マグネシウムを含有するシートまたは板、炭酸カルシウムを含有するシートまたは板、ロックウール、グラスウール等の１または複数から構成されていてもよく、天井ボード５００の両面側にそれぞれ積層配設されてもよい。
さらに、高密度グラスウールボードにガラスペーパを貼り付けたものであってもよい。
【００６２】
さらに、該不燃補強面であるアルミニウム箔５４０は、建物構造、建物用途、部位などに応じて適宜設けられても、設けられなくてもよい。また、設けられる場合、建物の天井の全面であっても部分的な面であってもよい。
【００６３】
また、ガラス繊維混抄紙５１０、５３０は、ガラス繊維およびパルプ繊維の他、バインダー成分と無機成分とを含有するものからなる。
ここで、バインダー成分としては、例えばアクリル樹脂などの樹脂が使用される。無機成分としては、例えば炭酸カルシウム、クレー、カオリンなどの１種以上が使用される。
【００６４】
また、水酸化アルミニウム紙５５０は、内装側仕上面を構成する層として積層される。当該水酸化アルミニウム紙５５０は、例えば、その他にケイ酸マグネシウム、炭酸カルシウムなどを含有するシート（無機混抄紙）ポリエチレンテレフタレート製不織布、その他任意の材質を使用してもよい。表面形状は平滑なものから凹凸があるものでもよい。当該シートは、０．１ｍｍ以上１０ｍｍ以下の厚みのものが好ましく、１．２ｍｍ以上５ｍｍ以下程度の板状体であってもよい。
なお、内装側仕上面を構成する層として、水酸化アルミニウム紙５５０を用いる場合に限定されないが、アルミニウム箔５４０が内装側仕上面として積層された場合、光の反射が生じて、意匠状外観に適していないので、好ましくない。
【００６５】
また、本実施の形態における天井ボード５００の少なくとも片面には、非透湿系面５６０が形成される。本実施の形態における非透湿系面５６０は、水酸化アルミニウム紙５５０およびアルミニウム箔５４０の積層からなる。
当該非透湿系面５６０は、寒冷地（Ｉ〜ＩＩ地域）向けとしては、ＪＩＳＡ６９３０Ｂ種に記載の住宅用プラスチック系防湿フィルムが適しており、一般地（ＩＩＩ〜ＩＶ地域）向けとしては、ＪＩＳＡ６９３０Ａ種に記載の住宅用プラスチック系防湿フィルムが適している。
【００６６】
その他、具体的に非透湿系面５６０は、ポリエチレンフィルム、ポリ塩化ビニルフィルム、ビニルシート、不織布ポリエチレン、ビチューメン含浸ポリプロピレンフォイル等の素材を用いてもよい。もしくは、適宜な面材を積層することにより、湿度に対する遮蔽性能を著しく改善することができる。好ましい面材としては、アルミニウム箔張付け不織布、水酸化アルミニウム紙張アルミニウム箔、ポリエチレン（ＰＥ）フィルム積層複合面材、金属板、金属箔などが例示される。なお、非透湿系面５６０は、天井ボード５００の内部に１層、部分的または複数層に形成されてもよい。
また、本実施の形態においては、水酸化アルミニウム紙５５０およびアルミニウム箔５４０の積層からなることとしているが、これに限定されず、非透湿系面部材の単層からなってもよい。
【００６７】
また、本実施の形態における天井ボード５００のフェノール発泡体樹脂５２０は、ポリスチレン、ポリエチレン、フェノール樹脂、硬質ウレタン等の弾性変形して圧縮可能な発泡樹脂材料により形成されるが、断熱性能に優れる点からフェノール樹脂が好ましい。
【００６８】
なお、本実施の形態においては、天井ボード５００が矩形状からなることとしたが、これに限定されず、適宜天井形状に合わせた他の任意の形状であってもよい。さらに、天井ボード５００の厚みＬ５１については、２０ｍｍに限定されること無く、１０ｍｍ以上１５０ｍｍ以下の範囲であってもよく、それに応じてジョイナー３００のＬ字状部３２０，３３０の鉛直方向長さＬ３２を形成してもよい、さらに、天井ボード５００は、意匠性、強度、耐久性などを考慮して部分的に厚肉または薄肉とされてもよい。
例えば、天井ボード５００の厚みＬ５１が１５ｍｍとされ、対応するジョイナー３００のＬ字状部３２０，３３０の鉛直方向長さＬ３２は１４ｍｍ以上１５ｍｍ未満とされてもよい。
また、本実施の形態においては、天井ボード５００が複数の層からなることとしているが、互いの層間に接着剤、固定材、硬化剤等を用いてもよい。
【００６９】
（天井材１００の施工方法）
続いて、図２および図６を用いて、天井材１００の施工方法について説明する。
まず、図６（ａ），（ｂ）に示すように、野縁２００の下面２０１に対してジョイナー３００の面３１０を取り付ける。この場合、ジョイナー３００の面３１０側から野縁２００側に向かって螺子(図示省略)で固定する。
【００７０】
最後に、図６（ｃ）に示すように、天井ボード５００をジョイナー３００のＬ字状部３２０に対して取り付ける。
なお、上記の実施の形態において、螺子固定を実施してから天井ボード５００を挿入することとしているが、天井ボード５００が軽量素材からなるので、ジョイナー３００の面３１０側から野縁２００側に向かって螺子(図示省略)で仮固定し、天井ボード５００を挿入してから、螺子で本固定を行なってもよい。
【００７１】
以上のように、本発明にかかる天井材１００においては、天井ボード５００を挿入する場合、天井ボード５００がわずかに圧縮される。その結果、天井材１００における気密性を維持することができる。
すなわち、ジョイナー３００のＬ字状部３２０の鉛直方向長さＬ３２が天井ボード５００の厚みＬ５１よりもわずかに狭いので、天井ボード５００を圧縮させながら取り付けられる。その結果、天井ボード５００の取り付け後に天井ボード５００のがたつきを防止することができる。
すなわち、天井ボード５００の厚みＬ５１は、天井ボードを無負荷状態で水平面上に載置した場合の厚みであるため、Ｌ字状部３２０に、天井ボード５００が圧縮されつつ取り付けられる。
また、ジョイナー３００のＬ字状部３２０の鉛直方向長さＬ３２は、天井ボード５００の厚みＬ５１よりも０．１ｍｍ以上２ｍｍ以下の小さい範囲で設けられるので、天井ボード５００の圧縮を十分に取りつつ、気密性を十分維持することができ、天井ボード５００の取り付ける作業が容易となる。
【００７２】
（第２の実施の形態）
続いて、第２の実施の形態について説明する。第２の実施の形態が、第１の実施の形態と異なる点について説明を行なう。図７は、第２の実施の形態にかかるジョイナー３００の他の例を示す模式図である。
【００７３】
第２の実施の形態においては、ジョイナー３００の代わりにジョイナー３００ａを備える。ジョイナー３００ａは、断面がハット型からなるジョイナーではなく、いわゆる断面がアルファベットのＩ型からなるジョイナー３００である。
【００７４】
第２の実施の形態にかかるＩ型ジョイナー３００ａは、面３１０、Ｌ字状部３２０、面３４０からなる。
【００７５】
（Ｉ型ジョイナー３００ａ、天井材１００ａの施工方法）
続いて、図８は、第２の実施の形態にかかるＩ型ジョイナー３００ａを用いた天井材１００ａの他の施工方法を示す模式図である。以下、図８を用いて説明する。
【００７６】
まず、野縁２００の下面２０１に対して、Ｉ型ジョイナー３００ａを取り付ける。この場合、Ｉ型ジョイナー３００ａの面３１０側から野縁２００側に向かって螺子で固定する。
【００７７】
最後に、天井ボード５００をＩ型ジョイナー３００ａのＬ字状部３２０に対して取り付ける。
【００７８】
以上のように、本発明にかかる天井材１００、１００ａにおいては、天井ボード５００を容易に取り付けることができる。また、ジョイナー３００，３００ａを設けることで、天井ボード５００の継ぎ目部分を綺麗にすることができる。また、少なくとも片面にフェノール発泡体樹脂５２０（図５参照）が形成されているので不燃性を高く維持する天井材１００，１００ａを形成することができる。
さらに、天井ボード５００を圧縮して野縁２００およびジョイナー３００、３００ａの間に配置させることができるので、天井構造において気密性を維持することができる。
【００７９】
また、天井ボード５００は、フェノール樹脂発泡体からなるので、断熱性、軽量性、不燃性を高く維持することができる。
また、フェノール発泡体樹脂５２０（図５参照）が、天井を有する室内側に配設されているので、耐火性を向上させた室内を形成することができる。さらに、片面に非透湿系面５６０が形成されているので、湿度に対する遮蔽性能に優れた性能を発揮する。
さらに、天井ボード５００は軽量からなるので、取り付け作業の習熟を必要とせず、容易に挿入することができ、施工手間を削減することができる。
【００８０】
なお、上記の実施の形態においては、ジョイナー３００，３００ａについて説明を行ったが、Ｌ字状部３２０，３３０を片方のみ有する部材であってもよく、その他任意の形状からなるジョイナーを用いても同様に適応することができる。
【００８１】
（第３の実施の形態）
第３の実施の形態においては、第１の実施の形態および第２の実施の形態に記載したジョイナー３００，３００ａへの天井ボード５００の他の固定方法、および他の取り付け方法について説明する。
【００８２】
図９および図１０は、ジョイナー３００へ天井ボード５００を固定する一例を説明するための説明図である。
【００８３】
図９に示すように、野縁２００は、ハンガーで吊り下げられており、野縁２００にジョイナー３００が取り付けられている。
ジョイナー３００に天井ボード５００の一辺が矢印ＳＲ１の方向へ、挿入される。
【００８４】
次に、図１０に示すように、天井ボード５００の他辺に対して、ジョイナー３００が矢印ＳＲ２の方向へ、取り付けられる。
【００８５】
図９および図１０に示す天井ボード５００を取り付け、固定する方法を繰り返すことにより、天井材１００、１００ａを形成することができる。
【００８６】
次いで、図１１は、天井ボード５００とジョイナー３００との固定状態を説明するための模式図である。
【００８７】
図１１に示すように、野縁２００には、ジョイナー３００がボルトＢＴにより固定される。野縁２００とジョイナー３００が固定され、天井ボード５００と、野縁２００との間には、クリアランスＣＬ１が形成される。
【００８８】
Ｌ字状部３２０の長さＬ３２は、天井ボード５００の厚みと、鉛直方向クリアランスＣＬ１とを足し合わせた距離となるように形成される。
本実施の形態において、クリアランスＣＬ１は、１ｍｍ以上８ｍｍ未満であることが好ましい。なお、本実施の形態において、クリアランスＣＬ１は４ｍｍである。
【００８９】
本実施の形態にかかる面３４０の長さＬ３は、１６ｍｍからなる。また、クリアランスＣＬ２は、１ｍｍ以上８ｍｍ未満であることが好ましい。なお、本実施の形態において、クリアランスＣＬ２は、３ｍｍからなる。
【００９０】
なお、本実施の形態において野縁２００は、断面がコ字状からなるが、これに限定されず、矩形状、多角形等、他の任意の形状であってもよい。
【００９１】
以上のように、天井ボード５００を容易に取り付けることができ、地震等の場合も天井ボード５００の破損および落下を防止することができる。また、天井ボード５００のがたつきが目立つという問題があるが、それらを防ぐことができる。
【００９２】
本実施の形態においては、天井材１００が天井材に相当し、野縁２００が野縁に相当し、天井ボード５００が天井ボードに相当し、Ｌ字状部３２０，３３０が支持部に相当し、ジョイナー３００がハット型ジョイナーに相当し、ジョイナー３００ａがＩ型ジョイナーに相当し、アルミニウム箔５４０が不燃補強面に相当し、ジョイナー３００，３００ａが化粧材に相当し、非透湿系面５６０が非透湿系面に相当し、面３４０の長さＬ３が支持部の水平方向長さに相当し、Ｌ字状部３２０，３３０の鉛直方向長さＬ３２が支持部の鉛直方向長さに相当し、下面２０１が野縁の下面に相当する。
【００９３】
また、本発明の好ましい一実施の形態は上記の通りであるが、本発明はそれだけに制限されない。本発明の精神と範囲から逸脱することのない様々な実施形態が他になされることは理解されよう。さらに、本実施形態において、本発明の構成による作用および効果を述べているが、これら作用および効果は、一例であり、本発明を限定するものではない。
【符号の説明】
【００９４】
１００，１００ａ  天井材
２００  野縁
２０１  下面
３００，３００ａ  ジョイナー
３２０，３３０  Ｌ字状部
５００  天井ボード
５４０  アルミニウム箔
５６０  非透湿系面
【図１】
2014074327.tif 000003
【図２】
2014074327.tif 000004
【図３】
2014074327.tif 000005
【図４】
2014074327.tif 000006
【図５】
2014074327.tif 000007
【図６】
2014074327.tif 000008
【図７】
2014074327.tif 000009
【図８】
2014074327.tif 000010
【図９】
2014074327.tif 000011
【図１０】
2014074327.tif 000012
【図１１】
2014074327.tif 000013